(57)【要約】【課題】非使用時にはカバーが切断刃の刃先部分を覆い、引き出したテープの切断時にのみ切断刃がカバーから露出した状態となり、テープ貼り作業の安全性を高めるとともに、切断したテープ端部にタブが形成されるようにする。【解決手段】本体部の側板に枢着され、切断刃の上縁および外側面を覆う切断刃カバー部材１６と、この切断刃カバー部材を切断刃の上縁および外側面を覆う位置へ向けて付勢している第１のばね手段と、粘着テープの円筒部と切断刃との間に設けられ、かつ引き出された粘着テープの粘着面に接触するテープ受けローラ１２と、切断刃とテープ受けローラとの間に位置して本体部の側板に枢着され、かつ引き出された粘着テープの粘着面に付着して切断刃側へ旋回する回動板１３と、回動板を前記テープ受けローラへ向けて付勢している第２のばね手段と、回動板が切断刃側へ回動したとき切断刃カバー部材と係合して該カバー部材を切断刃の外側へ旋回させるカバー旋回手段（２０，２２）とを有する。【選択図】      図２
2014031234.tif 000002
【特許請求の範囲】
【請求項１】
粘着テープの円筒部を回転可能に保持し、かつ該円筒部から引き出された前記粘着テープの粘着面側をホルダー本体部の片端に設けた切断刃に押し当てて該テープを切断する粘着テープホルダーにおいて、
前記本体部の側板に枢着され、前記切断刃の上縁および外側面を覆う切断刃カバー部材と、前記切断刃カバー部材は前記切断刃の上縁および外側面を覆う位置から該切断刃の外側へ旋回するようになっており、
前記切断刃カバー部材を前記切断刃の上縁および外側面を覆う位置へ向けて付勢している第１のばね手段と、
前記粘着テープの円筒部と前記切断刃との間に設けられ、かつ引き出された粘着テープの粘着面に接触するテープ受けローラと、
前記切断刃と前記テープ受けローラとの間に位置して前記本体部の側板に枢着され、かつ粘着テープの粘着面に付着し、該粘着テープの引き出しと共働して前記切断刃側へ旋回する回動板と、
前記回動板を前記テープ受けローラへ向けて付勢している第２のばね手段と、  前記回動板が前記切断刃側へ回動したとき前記切断刃カバー部材と係合して該カバー部材を前記切断刃の外側へ旋回させるカバー旋回手段とを有することを特徴とするカッターカバー付き粘着テープホルダー。
【請求項２】
前記カバー旋回手段は、前記切断刃カバー部材に連結されたピニオンと、前記回動板に形成されたラックとにより構成されることを特徴とする請求項１に記載のカッターカバー付き粘着テープホルダー。
【請求項３】
前記カバー旋回手段は、前記切断刃カバー部材および（または）前記回動板に形成された係合突部により構成されることを特徴とする請求項１に記載のカッターカバー付き粘着テープホルダー。
【請求項４】
前記テープ受けローラと前記粘着テープの前記円筒部との間の位置で前記側板に軸支され、かつ引き出された前記粘着テープの非粘着面と接触するテープガイドローラを有することを特徴とする請求項１〜３に記載のカッターカバー付き粘着テープホルダー。
【請求項５】
前記切断刃カバー部材の先端に、前記切断刃の刃先部分内側を覆うゴム様可撓部材を固着したことを特徴とする請求項１〜４に記載のカッターカバー付き粘着テープホルダー。
【発明の詳細な説明】
【技術分野】
【０００１】
本発明は、ホルダー本体部の一端部に形成された切断刃の刃先部分を覆う開閉カバーを有するカッターカバー付き粘着テープホルダーに関する。
【背景技術】
【０００２】
片面に粘着性を有する粘着テープは通常、芯材に円筒状に巻き付けられた形態を有し、このテープ円筒部からテープの一端を引き出して所望の長さに切断して使用する。テープ端部の引出しおよび切断を容易にするため、この種の粘着テープは切断刃付きのテープホルダーに保持されて使用される。テープホルダーとしては、種々の形態のものが市販されているが、大別すると、引き出したテープの粘着面に対峙する形態に切断刃が設けられ、切断後のテープ円筒部側（元側）のテープ端部が前記切断刃に付着、仮保持される形態のものと、非粘着面側に面して切断刃が設けられる形態のもの（特許文献１）とがある。
【０００３】
また、切断した粘着テープを目的の包装物に貼り付けた場合、粘着テープは一端から他端まで前記包装物に完全に密着して付着されるため、後でこの粘着テープを剥がそうとすると、剥がし口（剥がし開始の部分）がなく、指先の爪等でテープの隅部を引っかくようにして剥がし口をつくらなければならず、この操作が非常に煩雑である。
【０００４】
このような不便を解消するために、前記粘着テープを引き出して切断したとき、前記テープの一端部に折り返し片（テープの重着したタブ）が形成されるようにしたものが開示されている（特許文献２，３）。これは、切断後の元側（残った側）のテープ先端部に前記タブが切刃から突出して形成されるものであり、次回の使用時にはこのタブをつまんで引き出し、所望の長さに切断して使用することにより、前記タブの部分は包装物に付着していないので、剥がす際にはこのタブ部分を剥がし口として容易にテープを剥がすことができる。
【０００５】
さらに、特許文献４に示すように、粘着テープの切断時に該粘着テープによって切断刃がテープ引出し方向へ回動するようにし、前記切断刃に対してテープ円筒部側へ寄った位置に回動可能な間隔保持アームを設け、テープ切断後、テープ端部を付着した前記切断刃が戻り回転して前記間隔保持アームに衝接し、これによって粘着テープの重着したタブが形成されるようにしたものも開示されている。
【先行技術文献】
【特許文献】
【０００６】
【特許文献１】特開２００８−２８０１２５号公開公報
【特許文献２】特開２０００−３３４６９１号公開公報
【特許文献３】特開２００１−１９９６１９号公開公報
【特許文献４】特許第４２４７３０号特許公報
【発明の概要】
【発明が解決しようとする課題】
【０００７】
また、一般にこの種の粘着テープホルダーは、ホルダー本体部の端部に設けた切断刃が前記本体部から常時露出しており、テープホルダーの扱い時に露出した切断刃の先端で手を傷付けてしまうことがあった。特に、巾広の包装用粘着テープ（カートンテープ）の卓上形ホルダーの切断刃は鋭利な刃先となっており、テープ切断後に元側のテープ端部が切断刃に付着、仮保持される形態のものでは、次回使用時にテープ端部を切断刃から引き離す時に誤って指先を切断刃で刺してしまうという危険があり、多数の包装物のテープ貼り作業を連続して行う場合に、作業の迅速化をさまたげる原因ともなっていた。
【０００８】
本発明は、非使用時あるいは粘着テープの引き出し前の状態ではホルダー端部の切断刃がカバー板に覆われ、粘着テープの切断時には自動的に前記カバー板が前記切断刃から外方へ離れて前記粘着テープの切断が可能となるようにしたカッターカバー付き粘着テープホルダーを提供することを目的とする。
【０００９】
本発明はまた、テープ切断後の元側（テープ円筒部につながる側）のテープ端部に粘着テープの重着したタブが形成されるようにしたカッターカバー付き粘着テープホルダーを提供することを目的とするものである。
【課題を解決するための手段】
【００１０】
上記の目的のために本発明によるカッターカバー付き粘着テープホルダーは、粘着テープの円筒部を回転可能に保持し、かつ該円筒部から引き出された前記粘着テープの粘着面側をホルダー本体部の片端に設けた切断刃に押し当てて該テープを切断する粘着テープホルダーにおいて、前記本体部の側板に枢着され、前記切断刃の上縁および外側面を覆う切断刃カバー部材と、前記切断刃カバー部材は前記切断刃の上縁および外側面を覆う位置から該切断刃の外側へ旋回するようになっており、前記切断刃カバー部材を前記切断刃の上縁および外側面を覆う位置へ向けて付勢している第１のばね手段と、前記粘着テープの円筒部と前記切断刃との間に設けられ、かつ引き出された粘着テープの粘着面に接触するテープ受けローラと、前記切断刃と前記テープ受けローラとの間に位置して前記本体部の側板に枢着され、かつ前記粘着テープの粘着面に付着し、該粘着テープの引き出しと共働して前記切断刃側へ旋回する回動板と、前記回動板を前記テープ受けローラへ向けて付勢している第２のばね手段と、前記回動板が前記切断刃側へ回動したとき前記切断刃カバー部材と係合して該カバー部材を前記切断刃の外側へ旋回させるカバー旋回手段とを有することを特徴とする。
【００１１】
本発明の１つの形態によれば、前記カバー旋回手段は、前記切断刃カバー部材に連結されたピニオンと、前記回動板に形成されたラックとにより構成される。  
【００１２】
本発明の他の形態によれば、前記カバー旋回手段は、前記切断刃カバー部材および（または）前記回動板に形成された係合突部により構成される。
【００１３】
本発明のさらに他の形態によれば、前記テープ受けローラと前記粘着テープの前記円筒部との間の位置で前記側板に軸支され、かつ引き出された前記粘着テープの非粘着面と接触するテープガイドローラを有している。
【００１４】
本発明のさらに他の形態によれば、前記切断刃カバー部材の先端に、前記切断刃の刃先部分内側を覆うゴム様可撓部材が固着されている。
【発明の効果】
【００１５】
本発明によれば、非使用時あるいは使用の際の粘着テープの引き出し前の状態では切断刃がカバーで覆われているため、誤って手などを前記切断刃で傷付けてしまう心配がなく、また、切断時のテープの引き出しによって自動的に前記カバーが切断刃から外側へ外れるので、前記カバーを外すための付加的な作業や操作が不要であり、扱い時の安全化、作業の迅速化が図られる。
【００１６】
また本発明によれば、ホルダー本体部に保持されたテープ円筒部から粘着テープを引き出してホルダー端部の切断刃で切断するだけで、元側の粘着テープの端部にタブが形成されるので、次回使用時にこのタブ部分をつまんでテープを引き出すことができ、また包装物等に貼着した場合に前記包装物から粘着テープを剥がすのが容易となる。
【図面の簡単な説明】
【００１７】
【図１】本発明の実施例１に係るカッターカバー付き粘着テープホルダーのテープ切断時の状態を示す全体斜視図である。
【図２】本発明の実施例１に係るカッターカバー付き粘着テープホルダーの部分的な拡大斜視図である。
【図３】図２のほぼＦ−Ｆ線に沿った切断刃とカバー部材の位置関係を示す一部裁断した正面断面図である。
【図４】図３のＧ−Ｇ線に沿った側面断面図である。
【図５】本発明の実施例１に係る回動板の部分的な正面図である。
【図６】図５の矢視Ｈからみた部分的な側面図である。
【図７】本発明の実施例３に係るカバー付き粘着テープホルダーの切断刃カバー部材の開閉動作を示した部分的な側部断面図である。
【発明を実施するための形態】
【００１８】
次に、本発明を各種の実施例について図面を参照しつつ具体的に説明する。なお、これらの実施例はいずれも巾広の包装用粘着テープに対する切断刃付きテープホルダーについてのものであるが、本発明は必ずしもこのような包装用の粘着テープに限るものではなく、紙面に貼り付ける一般の細巾の粘着テープの切断刃付きホルダーにも同様に適用されることは勿論である。
【実施例１】
【００１９】
図１〜図３を参照すれば、この実施例１のカッターカバー付き粘着テープホルダー１は机や作業台など置台上に載せられる底板２と、底板２に対して垂直に立設した側板３と、底板２の片端に立設した前部端板５とによって枠状のホルダー本体部１５が形成され、前部端板５の上縁に片面粘着テープ（以下粘着テープという）６を切断する切断刃７が固着されている。前部端板５と反対側の本体部後端は開放されており、一対の側板３の後縁には前方へのびる溝孔８が形成され、この溝孔に粘着テープの円筒部内径と嵌合する軸付き芯環（リール）９の軸部が挿入され、これによってテープ円筒部１０がホルダー本体部１５に装着される。軸付き芯環９は、消尽されるテープ円筒部１０に対して脱着可能となっている。  ここまでの構成はこの種の卓上形の粘着テープホルダーと同様であり、本発明の粘着テープホルダーはこの形態のものに限定されるものではなく、これ以外の形態のテープホルダーにも同様に適用される。
【００２０】
装填された粘着テープの円筒部１０に隣接してホルダー本体部の側板３に、引き出された粘着テープ６の非粘着面と接触するテープガイドローラ１１が軸支されている。また、テープガイドローラ１１と切断刃７との間に、引き出された粘着テープ６の粘着面と接触するテープ受けローラ１２が側板３に軸支されている。粘着テープ６はテープ円筒部１０の上側周部からテープガイドローラ１１の下側をくぐり、テープ受けローラ１２の上側を経てホルダー前端の切断刃７に向って引き出される（図１，図２）。切断刃７とテープ受けローラ１２との間の位置には、回動板１３が本体部側板３に旋回可能に軸支されている。この回動板１３についてはさらに後述する。
【００２１】
切断刃７の位置に、全体として略枠状の切断刃カバー部材１６がホルダー本体部１５の側板３に旋回可能に軸支されている。この実施例１では、切断刃カバー部材１６は左右の側板３に軸支される一対の腕部１７と、腕部１７の先端を連結する側面視屋根形の上板１８とを有し、上板１８は内面側が凹状となった断面略Ｌ形の形状を成し、このＬ形の一辺部（上縁部分）が切断刃７の刃先を上方から覆い、前記Ｌ形の他辺部（背板部分）が切断刃７の刃先に続く切断刃外側面に接触し、これによって切断刃カバー部材１６が切断刃７を覆うようにようになっている。
【００２２】
前記カバー部材１６は一方の腕部１７と本体部側板３との間に装着されたばね手段（第１のばね手段）１９、例えばつる巻きばねによって常時上板１８が切断刃７を覆う方向に付勢されている。切断刃カバー部材１６の腕部１７の軸支部に設けられた枢軸には該腕部１７と一体回転するピニオン２０が固着され、このピニオン２０の回転によってカバー部材１６の腕部１７が枢軸を中心に回転するようになっている。この構成についてはカバー部材１６の回転動作と関連してさらに後述する。
【００２３】
回動板１３は、その下端で本体部側板３に軸支され、また、その上端はテープ受けローラ１２と略同じ高さ位置あるいは該受けローラ１２を若干超える高さ位置となるように設定され、これによって、引き出される粘着テープ６がテープ受けローラ１２および回動板１３の先端に付着するようになっている。回動板１３は、該回動板と本体部１５との間に装されたばね手段（第２のばね手段）２１、例えばつる巻きばねによって常時テープ受けローラ１２に接当する方向に付勢されている。
【００２４】
図２，図５および図６に示すように、本体部側板３に対峙した回動板１３の片側縁部１３ａには、切断刃カバー部材１６の腕部１７の枢軸に固着したピニオン２０と噛合可能なラック２２が固着されている。この実施例１では図示のように、ラック２２は回動板１３の板面に対してピニオン側へ突出した舌片部２３の下側部に形成され、回動板１３が前記第２のばね手段２１に抗して切断刃側へ回動したとき、切断刃カバー部材１６のピニオン２０が回動板１３の舌片部２３のラック２２と係合して回転し、これによって切断刃カバー部材１６は第１のばね手段１９に抗して切断刃７の外側へ大きく回転し、切断刃７が露出する（図１の状態）。回動板１３が前記第２のばね手段２１によってテープ受けローラ１２側へ戻ることにより、ピニオン２０は逆回転し、ピニオン２０を固着した切断刃カバー部材１６は、第１のばね手段１９の作用も加わって、切断刃側へ回転して切断刃７の刃先が切断刃カバー部材１６で覆われる（図２の状態）。なお、前部端板５にはカバー部材１６の腕部１７が通る溝孔２６が形成されており、切断刃カバー部材１６が外側へ大きく回転した状態では、該カバー部材１６の上板１８は本体部１５の前部端板５に接当する（図１）。この形態により、カバー部材１６はテープの切断操作の邪魔にはならない。
【００２５】
上述した回動板１３の切断刃側への回動は、粘着テープ６の引き出しと共働したテープの付着によって行われる。テープ円筒部１０から引き出した粘着テープ６をテープガイドローラ１１をくぐらせてテープ受けローラ１２に付着させたとき、粘着テープ６はテープ受けローラ１２に接当している回動板１３にも付着し、この状態で粘着テープ６を切断刃７側へ引き出すことにより、回動板１３が第２のばね手段２１に抗して切断刃７側へ回動し、この回動によりラック２２とピニオン２０の噛合によって切断刃カバー部材１６が切断刃７の外側へ回動し、切断刃７が露出する。この動作は既に述べた通りである。切断刃７によるテープの切断により、回動板１３はその先端１３ｂに切断した元側（テープ円筒部側）のテープ端部を付着したまま、第２のばね手段２１によりテープ受けローラ２２側へ戻され、切断刃カバー部材１３は第１のばね手段１９により切断刃７にかぶさる。
【００２６】
テープ切断端部を付着した回動板１３がテープ受けローラ１２に衝接することにより、テープ受けローラ１２と回動板１３との間でテープの重着したテープループ（図示省略）が形成され、この部分を次回テープ引き出し時のタブとすることが可能となる。なお、次回のテープの引き出しの仕方によっては、このようなテープループを解消する形態で引き出すことも可能であり、この場合はタブを有しない形態でテープが切断される。
【実施例２】
【００２７】
実施例１では切断刃カバー部材１６の回動を該カバー部材に設けたピニオン２０と回動板１３に設けたラック２２との噛合を利用したが、本発明は必ずしもこのような形態に限定されるものではなく、回動板１３が切断刃カバー部材１６を直接押動させる形態とすることも可能である。例えば前記ピニオンの代わりに切断刃カバー部材の腕部位置に突起部を形成し、回動板１３の舌片部２３にはラックを形成せずに、回動板１３の回動で舌片部２３がカバー部材１６の腕部１７の前記突起部を押し付けて切断刃カバー部材１６を切断刃７の外側へ回動させるようにすることも可能である。そのほかテープ受けローラ１２の外周面を平坦な円筒面にせずに複数個の周状の突部をローラ外周に形成し、これによって粘着テープ６が軽くテープ受けローラ１２に付着し、次回のテープ引き出しが容易になるようにしてもよい。
【実施例３】
【００２８】
上述の実施例１，２ではいずれもカバー部材１６の上板１８が切断刃７の上端および外側面を覆い、切断刃７の内側面は露出した状態となっている。これに対し、実施例３では切断刃７の刃先部の内側および外側を覆う形態としている。図７（ａ）〜（ｃ）を参照すれば、カバー部材１６の上板１８の先端に切断刃７の刃先の内側面を覆う弾発性に富む可撓部材、例えば厚手のゴム板２５あるいはラバー板が固着されている。この形態により、上板１８の先端は側面視コ字状の形状となり、このコ字状部分内に切断刃７の刃先部分が収容される（同図（ａ））。この状態からカバーの開成時、即ちカバー部材１６が本体部の前方へ倒れるときはゴム板２５の内面が刃先に当って弾性変形し、外側へ偏倚して刃先部分を通過する（同図（ｂ））。開成したカバー部材１６が立位姿勢へ回転して切断刃７にかぶさるときは、ゴム板２５の外面が刃先に当って内側へ変形しつつ刃先部分を通過し（同図（ｃ））、最終的に図７（ａ）のように切断刃７の刃先部分がカバー上板１８のコ字状先端部分内に収まる。この状態では、仮に不用意に上板１８の先端部分に手を触れても、切断刃７の刃先が露出せず、手を傷付けるといった事故は起らず、より安全性の高いカバー構造となる。
【符号の説明】
【００２９】
１    カッターカバー付き粘着テープホルダー
３    側板
６    粘着テープ
７    切断刃
１０    テープ円筒部
１１    テープガイドローラ
１２    テープ受けローラ
１３    回動板
１５    ホルダー本体部
１６    切断刃カバー部材
１７    腕部
１８    上板
１９    第１のばね手段
２０    ピニオン
２１    第２のばね手段
２２    ラック
２３    舌片部
２５    ゴム板
【図１】
2014031234.tif 000003
【図２】
2014031234.tif 000004
【図３】
2014031234.tif 000005
【図４】
2014031234.tif 000006
【図５】
2014031234.tif 000007
【図６】
2014031234.tif 000008
【図７】
2014031234.tif 000009